(57)【要約】  【課題】  減衰器が組み込まれる高周波送受信器等のモジュールの筐体の外側で減衰量を調整することができる減衰器を提供すること。  【解決手段】  高周波信号の波長の２分の１以下の間隔で平行に配置した平板導体１，２間に誘電体線路３を配置しており、平板導体１，２の一方（平板導体１）に対して誘電体線路３の一端３ａ側のＬＳＭモードの定在波の電界が強い箇所に設けられた貫通孔１ａに、平板導体１よりも導体損失の大きい材質から成るシート状の抵抗体部材４の主面が高周波信号のＴＥ１０モードの電界の方向に平行に配置され、抵抗体部材４の一端が１つの内壁の中央部に接合されており、その一端から他端までの幅が他端が他の内壁に接触しないように入力側から出力側に向かって除々に大きくなっている、高周波信号を減衰させる導波管Ｇ１を接続する減衰器である。モジュールの筐体を構成する平行平板１の外側で減衰量を調整することができる。【選択図】  図１
2006128929.tif 000002
【特許請求の範囲】
【請求項１】
高周波信号の波長の２分の１以下の間隔で平行に配置した平板導体間に誘電体線路を配置しており、前記平板導体の一方に対して前記誘電体線路の一端側のＬＳＭモードの定在波の電界が強い箇所に設けられた貫通孔に、前記高周波信号を減衰させる導波管が接続され、該導波管は、前記平板導体よりも導体損失の大きい材質から成るシート状の抵抗体部材の主面が前記導波管における高周波信号のＴＥ１０モードの電界の方向に平行に配置されるとともに、前記シート状の抵抗体部材の一端が前記導波管の１つの内壁の中央部に接合されており、前記一端から他端までの幅が前記他端が他の内壁に接触しないように入力側から出力側に向かって除々に大きくなっていることを特徴とする減衰器。
【請求項２】
前記シート状の抵抗体部材は、前記１つの内壁に設けた貫通孔の外側から挿入されていることを特徴とする請求項１記載の減衰器。
【請求項３】
高周波信号を発生する高周波発振器と、この高周波発振器の出力端側に接続された、前記高周波信号を分岐して一方の出力端と他方の出力端とに出力する分岐器と、前記一方の出力端に接続された、この一方の出力端に分岐された高周波信号を変調して送信用高周波信号として出力する変調器と、磁性体の周囲に第１の端子，第２の端子および第３の端子を有し、この順に一つの端子から入力された高周波信号を隣接する次の端子より出力する、前記変調器の出力が前記第１の端子に入力されるサーキュレータと、このサーキュレータの前記第２の端子に接続された送受信アンテナと、前記分岐器の前記他方の出力端と前記サーキュレータの前記第３の端子との間に接続された、前記他方の出力端に分岐された高周波信号と前記送受信アンテナで受信した高周波信号とを混合して中間周波信号を出力するミキサーとを具備しており、前記高周波発振器および前記分岐器の間または前記サーキュレータおよび前記送受信アンテナの間に請求項１または請求項２記載の減衰器が接続されていることを特徴とする高周波送受信器。
【請求項４】
高周波信号を発生する高周波発振器と、この高周波発振器の出力端側に接続された、前記高周波信号を分岐して一方の出力端と他方の出力端とに出力する分岐器と、前記一方の出力端に接続された、この一方の出力端に分岐された高周波信号を変調して送信用高周波信号として出力する変調器と、この変調器の出力端に一端が接続された、前記一端側から他端側へ前記送信用高周波信号を透過させるアイソレータと、このアイソレータに接続された送信アンテナと、前記分岐器の前記他方の出力端側に接続された受信アンテナと、前記分岐器の前記他方の出力端と前記受信アンテナとの間に接続された、前記他方の出力端に分岐された高周波信号と前記受信アンテナで受信した高周波信号とを混合して中間周波信号を出力するミキサーとを具備しており、前記高周波発振器および前記分岐器の間、前記アイソレータおよび前記送信アンテナの間または前記ミキサーおよび前記受信アンテナの間に請求項１または請求項２記載の減衰器が接続されていることを特徴とする高周波送受信器。
【請求項５】
請求項３または請求項４記載の高周波送受信器と、この高周波送受信器から出力される前記中間周波信号を処理して探知対象物までの距離情報を検出する距離情報検出器とを具備することを特徴とするレーダ装置。
【請求項６】
請求項５記載のレーダ装置を備え、このレーダ装置を探知対象物の検出に用いることを特徴とするレーダ装置搭載車両。
【請求項７】
請求項５記載のレーダ装置を備え、このレーダ装置を探知対象物の検出に用いることを特徴とするレーダ装置搭載小型船舶。
【発明の詳細な説明】
【技術分野】
【０００１】
本発明は、車載レーダ装置等で用いられるミリ波集積回路等に組み込まれ、高周波信号の伝送用として用いられる減衰器において、減衰器が組み込まれる高周波送受信器等のモジュールの筐体の外側で減衰量を調整することができ、しかも減衰量を小さくするときには透過損失を小さくすることができる減衰器ならびにそれを用いた高周波送受信器、レーダ装置、レーダ装置搭載車両およびレーダ装置搭載小型船舶に関するものである。
【背景技術】
【０００２】
従来から、特にミリ波帯（30ＧＨｚ〜300ＧＨｚ）の高周波信号を伝送する高周波用伝送線路として、非放射性誘電体線路（NonRadiative Dielectric Waveguide、以下、ＮＲＤガイドともいう。）が広く知られている。この非放射性誘電体線路を用いて構成した従来の減衰器は、例えば特許文献１〜特許文献６に開示されている。
【０００３】
なお、非放射性誘電体線路の基本的構成は、図９に部分破断斜視図で示すように、所定の間隔ａをもって平行に配置された平板導体51，52間に、断面が矩形状の誘電体線路53を、間隔ａを高周波信号の波長λに対してａ≦λ／２として配置したものである。これにより、外部から誘電体線路53へのノイズの侵入をなくし、かつ外部への高周波信号の放射をなくして、誘電体線路53中により高周波信号をほとんど損失なく伝搬させることができる。なお、波長λは使用周波数における空気中（自由空間）での高周波信号の波長である。
【０００４】
特許文献１〜特許文献６に開示されている従来の減衰器のうち、例えば、特許文献１に開示されている従来の減衰器においては、非放射性誘電体線路の誘電体線路の近くに平板導体に対向する方向から見てテーパ状の電波吸収体を併設している。
【０００５】
また、特許文献２に開示されている従来の減衰器においては、第１および第２の誘電体線路の中途を電磁結合するように近接させた非放射性誘電体線路型の方向性結合器において、第１および第２の誘電体線路の一方に終端抵抗を接続し、その終端抵抗が接続された誘電体線路を他方の誘電体線路に対して相対的に平行に移動する手段を設けている。
【０００６】
また、特許文献３〜特許文献６には、誘電体線路の中途かまたは端部に誘電体線路を伝搬する高周波信号を減衰させる減衰領域を設けている点において同様の技術が開示されている。
【０００７】
また、従来の高周波送受信器の例は、例えば、特許文献７および特許文献８に開示されている。
【０００８】
また、従来のレーダ装置およびそれを搭載したレーダ装置搭載車両の例は、例えば、特許文献９に開示されている。
【特許文献１】特開平６−45809号公報
【特許文献２】特開2000−22411号公報
【特許文献３】特開2000−114815号公報
【特許文献４】特開2000−114816号公報
【特許文献５】特開2001−16003号公報
【特許文献６】特開2003−289205号公報
【特許文献７】特開平７−77576号公報
【特許文献８】特開2000−258525号公報
【特許文献９】特開2003−35768号公報
【発明の開示】
【発明が解決しようとする課題】
【０００９】
しかしながら、特許文献１および特許文献３〜特許文献６に開示されているような従来の減衰器では、いずれも、誘電体線路および高周波信号を減衰する減衰領域を設けた誘電体線路を平板導体間に挟んで固定した後には、平板導体を取り外す以外にそれらを取り替えることはできないから、平板導体を取り外さずに減衰量を変えることができないので、減衰器を高周波回路の一部に組み込んだ後に減衰量を変化させて調整する目的には用いにくいという問題点があった。
【００１０】
また、特許文献２に開示されているような従来の減衰器では、相対的に平行に移動させる誘電体線路は、平板導体間に挟み込んだ後に平板導体の内面との隙間を導電性部材等で埋めるかまたはその隙間を一定にすることが難しいため、減衰器を透過する高周波信号の透過特性が不安定になることがあるので、減衰器を高周波回路の一部に組み込んだ後に減衰量を調整する目的にはやはり用いにくいところがあるという問題点があった。また、第１および第２の誘電体線路が近接して対向する部分が、第１および第２の誘電体線路を相互に平行移動する際に、精度良く平行度を維持したり対向する部分の距離を一定に維持したりすることが機械的に難しいため、減衰量の調整中に減衰量が滑らかに変化しなくて調整が難しかったり手間がかかったりするといった問題点や、第１および第２の誘電体線路が近接して対向する部分が、それらを平行移動することにより対向しない状態から対向する状態に移行する過渡的な状態において、減衰量が急激に変わりやすくなり、小さい減衰量での減衰量の調整が難しいという問題点があった。また、平行平板の外側から第１および第２の誘電体線路を平行移動させて固定する手段を設けることは機構的に難しいため、この技術においても、減衰器を高周波回路の一部に組み込んだ後に減衰量を変化させて調整し、その調整した状態を安定に維持しやすくしたいという改善すべき点もあった。
【００１１】
また、従来の減衰器を用いた高周波送受信器では、減衰器を高周波送受信器に組み込んだ後に、減衰量を調整したりその調整した状態を安定に維持したりすることが難しかったため、減衰器を高周波送受信器に組み込んだ後に、高周波送受信器を動作させながら例えば高周波発振器の発振出力や高周波信号を伝送する高周波回路の透過特性等に応じて減衰量を調整（動的にチューニング）してその調整された状態を安定に維持することにより、高周波送受信器の送信出力を所定の範囲に調整してその調整された状態を安定に維持することが難しいという問題点があった。
【００１２】
また、このような高周波送受信器を用いたレーダ装置では、例えば高周波送受信器の送信出力が強くなりすぎたり弱くなりすぎたりして、周囲の無線通信等に悪影響を及ぼしたり、または誤探知を起こしやすくなったり探知することができる探知対象物までの距離が短くなったりすることがあるために、安定した送受信性能が得られにくいという問題点があった。
【００１３】
また、このようなレーダ装置を搭載した車両や小型船舶では、探知対象物をレーダ装置で探知することによってその情報に基づいて回避や制動等の適切な挙動をとることが行なわれているが、レーダ装置が誤探知を起こしたり探知することができる探知対象物までの距離が短くなったり、探知対象物の探知が遅れるために、その探知の後にそれら車両や小型船舶に急激な挙動を起こさせたりしてしまうことがあるという問題点があった。
【００１４】
本発明は上記のような従来の技術における問題点を解決すべく案出されたものであり、その目的は、減衰器が組み込まれる高周波送受信器等のモジュールに対して、実用的であって簡単かつ緻密に、そのモジュールの筐体の外側で減衰量の調整や動的なチューニングを行なうことができ、しかも減衰量を小さくするときには透過損失を小さくすることができる減衰器ならびにそれを用いた高周波送受信器、レーダ装置、レーダ装置搭載車両およびレーダ装置搭載小型船舶を提供することにある。
【課題を解決するための手段】
【００１５】
本発明の減衰器は、高周波信号の波長の２分の１以下の間隔で平行に配置した平板導体間に誘電体線路を配置しており、前記平板導体の一方に対して前記誘電体線路の一端側のＬＳＭモードの定在波の電界が強い箇所に設けられた貫通孔に、前記高周波信号を減衰させる導波管が接続され、該導波管は、前記平板導体よりも導体損失の大きい材質から成るシート状の抵抗体部材の主面が前記導波管における高周波信号のＴＥ１０モードの電界の方向に平行に配置されるとともに、前記シート状の抵抗体部材の一端が前記導波管の１つの内壁の中央部に接合されており、前記一端から他端までの幅が前記他端が他の内壁に接触しないように入力側から出力側に向かって除々に大きくなっていることを特徴とするものである。
【００１６】
また、本発明の減衰器は、上記構成において、前記シート状の抵抗体部材は、前記１つの内壁に設けた貫通孔の外側から挿入されていることを特徴とするものである。
【００１７】
本発明の第１の高周波送受信器は、高周波信号を発生する高周波発振器と、この高周波発振器の出力端側に接続された、前記高周波信号を分岐して一方の出力端と他方の出力端とに出力する分岐器と、前記一方の出力端に接続された、この一方の出力端に分岐された高周波信号を変調して送信用高周波信号として出力する変調器と、磁性体の周囲に第１の端子，第２の端子および第３の端子を有し、この順に一つの端子から入力された高周波信号を隣接する次の端子より出力する、前記変調器の出力が前記第１の端子に入力されるサーキュレータと、このサーキュレータの前記第２の端子に接続された送受信アンテナと、前記分岐器の前記他方の出力端と前記サーキュレータの前記第３の端子との間に接続された、前記他方の出力端に分岐された高周波信号と前記送受信アンテナで受信した高周波信号とを混合して中間周波信号を出力するミキサーとを具備しており、前記高周波発振器および前記分岐器の間または前記サーキュレータおよび前記送受信アンテナの間に上記いずれかの本発明の減衰器が接続されていることを特徴とするものである。
【００１８】
本発明の第２の高周波送受信器は、高周波信号を発生する高周波発振器と、この高周波発振器の出力端側に接続された、前記高周波信号を分岐して一方の出力端と他方の出力端とに出力する分岐器と、前記一方の出力端に接続された、この一方の出力端に分岐された高周波信号を変調して送信用高周波信号としてを出力する変調器と、この変調器の出力端に一端が接続された、前記一端側から他端側へ前記送信用高周波信号を透過させるアイソレータと、このアイソレータに接続された送信アンテナと、前記分岐器の前記他方の出力端側に接続された受信アンテナと、前記分岐器の前記他方の出力端と前記受信アンテナとの間に接続された、前記他方の出力端に分岐された高周波信号と前記受信アンテナで受信した高周波信号とを混合して中間周波信号を出力するミキサーとを具備しており、前記高周波発振器および前記分岐器の間、前記アイソレータおよび前記送信アンテナの間または前記ミキサーおよび前記受信アンテナの間に上記いずれかの本発明の減衰器が接続されていることを特徴とするものである。
【００１９】
本発明のレーダ装置は、上記各構成の本発明の第１および第２のいずれかの高周波送受信器と、この高周波送受信器から出力される前記中間周波信号を処理して探知対象物までの距離情報を検出する距離情報検出器とを具備することを特徴とするものである。
【００２０】
本発明のレーダ装置搭載車両は、上記構成の本発明のレーダ装置を備え、このレーダ装置を探知対象物の検出に用いることを特徴とするものである。
【００２１】
本発明のレーダ装置搭載小型船舶は、上記構成の本発明のレーダ装置を備え、このレーダ装置を探知対象物の検出に用いることを特徴とするものである。
【発明の効果】
【００２２】
本発明の減衰器によれば、高周波信号の波長の２分の１以下の間隔で平行に配置した平板導体間に誘電体線路を配置しており、前記平板導体の一方に対して前記誘電体線路の一端側のＬＳＭモードの定在波の電界が強い箇所に設けられた貫通孔に、前記高周波信号を減衰させる導波管が接続され、該導波管は、前記平板導体よりも導体損失の大きい材質から成るシート状の抵抗体部材の主面が前記導波管における高周波信号のＴＥ１０モードの電界の方向に平行に配置されるとともに前記シート状の抵抗体部材の一端が前記導波管の１つの内壁の中央部に接合されており、前記一端から前記他端までの幅が前記他端が他の内壁に接触しないように入力側から出力側に向かって除々に大きくなっていることから、導波管が高周波回路を構成する平板導体の外側に接続される構造であるため、損失の小さいものから大きいものまで減衰量の異なるものの中から適当なものをその導波管として選定して貫通孔に接続するだけで、減衰器が組み込まれる高周波送受信器等のモジュールの筐体の外側で減衰量を調整することできるので、減衰器が組み込まれる高周波送受信器等のモジュールの筐体の外側で減衰量の調整や動的なチューニングを行なうことができ、しかも減衰量を小さくするときには透過損失を小さくすることができる減衰器となる。また、シート状の抵抗体部材が高周波信号の伝送方向に対してその高周波信号の伝送モードが急激に変化しないように働くため、導波管を接続した貫通孔で高周波信号が誘電体線路側に反射することを抑制するので、導波管の接続部で反射を小さくすることができる減衰器となる。
【００２３】
また、本発明の減衰器によれば、前記シート状の抵抗体部材は、前記１つの内壁に設けた貫通孔の外側から挿入されているときには、シート状の抵抗部材を導波管の内壁に設けた貫通孔から挿入する挿入量により導波管を透過する高周波信号の透過係数を変化させることができるため、導波管が既に平板導体に接続された状態であるか、または導波管と平板導体とが初めから一体化されたものであっても、減衰器が組み込まれる高周波送受信器等のモジュールの筐体の外側で減衰量の調整や動的なチューニングを行なうことができ、しかも減衰量を小さくするときには透過損失を小さくすることができる減衰器となる。
【００２４】
本発明の第１の高周波送受信器によれば、高周波信号を発生する高周波発振器と、この高周波発振器の出力端側に接続された、前記高周波信号を分岐して一方の出力端と他方の出力端とに出力する分岐器と、前記一方の出力端に接続された、この一方の出力端に分岐された高周波信号を変調して送信用高周波信号として出力する変調器と、磁性体の周囲に第１の端子，第２の端子および第３の端子を有し、この順に一つの端子から入力された高周波信号を隣接する次の端子より出力する、前記変調器の出力が前記第１の端子に入力されるサーキュレータと、このサーキュレータの前記第２の端子に接続された送受信アンテナと、前記分岐器の前記他方の出力端と前記サーキュレータの前記第３の端子との間に接続された、前記他方の出力端に分岐された高周波信号と前記送受信アンテナで受信した高周波信号とを混合して中間周波信号を出力するミキサーとを具備しており、前記高周波発振器および前記分岐器の間または前記サーキュレータおよび前記送受信アンテナの間に上記いずれかの本発明の減衰器が接続されていることから、減衰器が高周波送受信器の一部として組み込まれた後に、減衰器が減衰器の入出力間を透過する高周波信号の透過係数を変化させることにより、減衰器の入出力間で高周波信号の強度を調整することができ、また、減衰器の入出力間で高周波信号を大きく減衰させるべきときには大きく減衰させ、ほとんど減衰させないでおくべきときには非常に小さい透過損失で透過させるため、高周波送受信器の内部で使用される高周波信号の強度や高周波送受信器から外部に出力される送信用高周波信号の強度が適切なものとなるように調整することができるので、安定した送受信性能を有する高性能な高周波送受信器となる。また、高周波発振器や送受信アンテナを減衰器を介して平板導体上に設けることができるので、小型化や実装性向上を実現する上で有利な高周波送受信器となる。
【００２５】
本発明の第２の高周波送受信器によれば、高周波信号を発生する高周波発振器と、この高周波発振器の出力端側に接続された、前記高周波信号を分岐して一方の出力端と他方の出力端とに出力する分岐器と、前記一方の出力端に接続された、この一方の出力端に分岐された高周波信号を変調して送信用高周波信号として出力する変調器と、この変調器の出力端に一端が接続された、前記一端側から他端側へ前記送信用高周波信号を透過させるアイソレータと、このアイソレータに接続された送信アンテナと、前記分岐器の前記他方の出力端側に接続された受信アンテナと、前記分岐器の前記他方の出力端と前記受信アンテナとの間に接続された、前記他方の出力端に分岐された高周波信号と前記受信アンテナで受信した高周波信号とを混合して中間周波信号を出力するミキサーとを具備しており、前記高周波発振器および前記分岐器の間、前記アイソレータおよび前記送信アンテナの間または前記ミキサーおよび前記受信アンテナの間に上記いずれかの本発明の減衰器が接続されていることから、減衰器が高周波送受信器の一部として組み込まれた後に、減衰器が減衰器の入出力間を透過する高周波信号の透過係数を変化させることにより、減衰器の入出力間で高周波信号の強度を調整することができ、また、減衰器の入出力間で高周波信号を大きく減衰させるべきときには大きく減衰させ、ほとんど減衰させないでおくべきときには非常に小さい透過損失で透過させるため、高周波送受信器の内部で使用される高周波信号の強度や高周波送受信器から外部に出力される送信用高周波信号の強度が適切なものとなるように調整することができるので、安定した送受信性能を有する高性能な高周波送受信器となる。また、高周波発振器や送信アンテナおよび受信アンテナを減衰器を介して平板導体上に設けることができるので、小型化や実装性向上を実現する上で有利な高周波送受信器となる。
【００２６】
本発明のレーダ装置によれば、上記各構成の本発明の第１および第２のいずれかの高周波送受信器と、この高周波送受信器から出力される前記中間周波信号を処理して探知対象物までの距離情報を検出する距離情報検出器とを具備することから、高周波送受信器の送受信性能が良好であり、また安定しているため、速く確実に探知対象物を探知することができるとともに至近距離や遠方の探知対象物をも確実に探知することができるレーダ装置となる。
【００２７】
本発明のレーダ装置搭載車両によれば、上記構成の本発明のレーダ装置を備え、このレーダ装置を探知対象物の検出に用いることから、レーダ装置が速く確実に探知対象物である他の車両や障害物等を探知することができるため、例えばそれらを回避するための急激な挙動を車両に起こさせることなく、車両の適切な制御や運転者への適切な警告をすることができるレーダ装置搭載車両となる。
【００２８】
本発明のレーダ装置搭載小型船舶によれば、上記構成の本発明のレーダ装置を備え、このレーダ装置を探知対象物の検出に用いることから、レーダ装置が速く確実に探知対象物である他の小型船舶障害物等を探知することができるため、例えばそれらを回避するための急激な挙動を小型船舶に起こさせることなく、小型船舶の適切な制御や操縦者への適切な警告をすることができるレーダ装置搭載小型船舶となる。
【発明を実施するための最良の形態】
【００２９】
まず、本発明の減衰器およびそれを用いた本発明の高周波送受信器、それを具備したレーダ装置ならびにそれを搭載したレーダ装置搭載車両およびレーダ装置搭載小型船舶について、図面を参照しつつ詳細に説明する。
【００３０】
図１は本発明の減衰器の実施の形態の一例を示す模式図であり、（ａ）は断面図、（ｂ）はそのＡ−Ａ’線断面図である。また、図２は本発明の減衰器の実施の形態の一例における導波管Ｇ２を示す模式的な斜視図である。また、図３は本発明の減衰器の実施の形態の他の例における導波管Ｇ３を示す模式的な断面図である。これら図１〜図３において、１は一方の平板導体、２は他方の平板導体、３は誘電体線路、４，５は抵抗体部材、６は導波管に設けられた貫通孔、１ａは一方の平板導体１に設けられた貫通孔、３ａは誘電体線路３の一端である。
【００３１】
また、図４および図５は、それぞれ本発明の第１の高周波送受信器の実施の形態の一例を示す模式的なブロック回路図および平面図である。また、図６（ａ）および（ｂ）は、それぞれ非放射性誘電体線路型の変調器およびミキサーに用いられるダイオードが実装された基板の一例を模式的に示す斜視図である。また、図７および図８は、それぞれ本発明の第２の高周波送受信器の実施の形態の一例を示す模式的なブロック回路図および平面図である。これら図４〜図８において、11は高周波発振器、12は分岐器、13は変調器、14はサーキュレータ、15は送受信アンテナ、16はミキサー、17はスイッチ、18はアイソレータ、19は送信アンテナ、20は受信アンテナ、21，31は下側の平板導体、22，32は第１の誘電体線路、23，33は第２の誘電体線路、24，34は磁性体としてのフェライト板、25，35は第３の誘電体線路、26，36は第４の誘電体線路、27，37は第５の誘電体線路、28，38ａ，38ｂは無反射終端器、39は第６の誘電体線路、40，44は基板、41，46はチョーク型バイアス供給線路、42，47は接続端子、43は高周波変調用素子、45は高周波検波用素子、12ａは入力端、12ｂは一方の出力端、12ｃは他方の出力端、13ａ，18ａは入力端、13ｂ，18ｂは出力端、14ａ，24ａ，34ａは第１の端子、14ｂ，24ｂ，34ｂは第２の端子、14ｃ，24ｃ，34ｃは第３の端子である。なお、図５および図８において、上側の平板導体は図示していない。
【００３２】
図１に示す本発明の減衰器の実施の形態の一例は、高周波信号の波長の２分の１以下の間隔で平行に配置した平板導体１，２間に誘電体線路３を配置しており、平板導体１，２の一方（この例では上側の平板導体１）に対して誘電体線路３の一端３ａ側のＬＳＭモードの定在波の電界が強い箇所に設けられた貫通孔１ａに、高周波信号を減衰させる導波管Ｇ１が接続された構成である。
【００３３】
上記構成において、導波管Ｇ１は損失のある高周波用伝送線路である。具体的には、導波管Ｇ１は、通常、高周波信号に対して導体損失の小さい材質から成る平板導体１，２よりも電気抵抗が大きい材質からなるものとすればよい。例えば、導波管Ｇ１を構成する材質としては、平板導体１，２に抵抗率が低い材質であるアルミニウム（Ａｌ）を用いる場合には、それよりも抵抗率が大きい材質である亜鉛，アルメル，インジウム（Ｉｎ），カドミウム（Ｃｄ），カルシウム（Ｃａ），クロム（Ｃｒ），コバルト（Ｃｏ），コンスタンタン，ジルコニウム（Ｚｒ），真鍮，錫（Ｓｎ），青銅，タングステン（Ｗ），タンタル（Ｔａ），鉄（Ｆｅ），鉛（Ｐｂ），ニッケル（Ｎｉ），白金（Ｐｔ），白金ロジウム合金（Ｐｔ−Ｒｈ），ニッケルクロム合金（Ｎｉ−Ｃｒ），パラジウム（Ｐｄ），マグネシウム（Ｍｇ），マンガン（Ｍｎ），モリブデン（Ｍｏ），ルビジウム（Ｒｂ）等またはそれらのうちの複数の単体から成る合金を用いればよい。このようにすれば、導波管Ｇ１を伝搬させる高周波信号に対する損失をその材質の抵抗率の大きさに応じて大きくすることができるから、導波管Ｇ１の材質や大きさを適当に設定することによって導波管Ｇ１を伝搬する高周波信号を適当な減衰量だけ減衰させることができる。
【００３４】
以上のような導波管Ｇ１を用いた図１に示す本発明の減衰器は、全体として、異なる減衰量のものから適切なものを導波管Ｇ１として選択して、非放射性誘電体線路を構成する平板導体１，２および誘電体線路３の外側である平板導体１上の貫通孔１ａに接続することにより、非放射性誘電体線路の外側で減衰量を設定することができる減衰器として機能する。
【００３５】
そして、図１に示す本発明の減衰器によれば、上記構成とすることから、導波管Ｇ１が高周波回路を構成する非放射性誘電体線路の外側に接続される構造であるため、損失の小さいものから大きいものまで減衰量の異なるもの中から適当なものを導波管Ｇ１として選定して貫通孔１ａに接続するだけで、高周波送受信器等のモジュールの筐体の外側で減衰量を調整することできるので、減衰器が組み込まれる高周波送受信器等のモジュールの筐体の外側で減衰量の調整や動的なチューニングを行なうことができ、しかも減衰量を小さくするときには透過損失を小さくすることができるものとなる。
【００３６】
次に、図１に示す減衰器は、さらに具体的には次のように構成すればよい。
【００３７】
まず、貫通孔１ａの平面視した形状は、通常は平板導体１，２間に配置された誘電体線路３の管内波長の半分以下の長さと誘電体線路３と同じ程度の幅とを持つ、図１に示すような矩形状とすればよいが、その他、円形状や長孔状であってもよい。
【００３８】
また、貫通孔１ａは、好ましくは平板導体１の表裏で開口の大きさを異なるものとするとよい。貫通孔１ａに導波管Ｇ１の一端の入出力部である開放終端部が接続され、その導波管Ｇ１の他端に、例えばアンテナ等が接続される場合のように、導波管Ｇ１に閉じ込められる電磁界領域の大きさ（導波管Ｇ１の伝送方向に垂直な断面における内側の大きさ）が平板導体１の裏側（誘電体線路３側）での貫通孔１ａの開口の大きさよりも大きくなるときには、平板導体１の裏側（誘電体線路３側）の貫通孔１ａの開口の大きさよりも平板導体１の表側（導波管Ｇ１側）の貫通孔１ａの開口の大きさを大きくすればよい。また、貫通孔１ａに導波管Ｇ１の一端の入出力部である開放終端部が接続され、その導波管Ｇ１の他端に、例えば電圧制御発振器（ＶＣＯ）等が接続される場合のように、導波管Ｇ１に閉じ込められる電磁界領域の大きさ（導波管Ｇ１の伝送方向に垂直な断面における内側の大きさに相当する。）が平板導体１の裏側（誘電体線路３側）での貫通孔１ａの開口の大きさよりも小さくなるときには、平板導体１の裏側（誘電体線路３側）の貫通孔１ａの開口の大きさよりも平板導体１の表側（導波管Ｇ１側）の貫通孔１ａの開口の大きさを小さくすればよい。
【００３９】
平板導体１の表裏での貫通孔１ａの開口の大きさをこのように設定すれば、貫通孔１ａがこの貫通孔１ａ内に閉じ込められているミリ波信号等の高周波信号の電磁界領域の大きさを平板導体１の裏側から表側あるいは表側から裏側にかけて次第に変化させるため、貫通孔１ａの表裏間で高周波信号の電磁界を滑らかに変化させ、不要な電磁界モードの発生を抑制するように働くので、前述のように様々な開口形状・開口寸法の導波管Ｇ１の開放終端部での高周波信号の電磁界領域の大きさに対しても、貫通孔１ａを透過する高周波信号の透過損失を小さくして接続することができるものとなる。
【００４０】
このような本発明の減衰器の実施の形態の一例における導波管Ｇ１は、図２に斜視図で示すように、平板導体１，２よりも導体損失の大きい材質から成るシート状の抵抗体部材４の主面がその導波管Ｇ１における高周波信号のＴＥ１０モードの電界の方向に平行に配置されるとともに、シート状の抵抗体部材４の一端４ａが導波管Ｇ１を構成する１つの内壁の中央部に接合されており、他端４ｂが他の内壁に接触しないように一端４ａから他端４ｂまでの幅が入力側から出力側に向かって除々に大きくなっている構成である。
【００４１】
上記構成において、導波管Ｇ１は、貫通孔１ａにおいて誘電体線路３を伝搬する高周波信号のＬＳＥモードの電界の方向と導波管Ｇ１を伝搬する高周波信号のＴＥ１０モードの電界の方向とが一致するように、平板導体１の貫通孔１ａに接続する。また、シート状の抵抗体部材４は、その主面が導波管Ｇ１におけるそのＴＥ１０モードの電界の方向と平行となるように導波管Ｇ１の管内に配置する。その際、シート状の抵抗体部材４の一端４ａを導波管Ｇ１の内壁の中央部に接合する。その理由は、導波管Ｇ１を伝搬する高周波信号のＴＥ１０モードの電界の強さが導波管Ｇ１内の中央部で最も強くなるため、そこに抵抗体部材４を配置すればＴＥ１０モードで導波管Ｇ１を伝搬する高周波信号を効果的に減衰させることができるからである。なお、抵抗体部材４を配置する位置は、減衰量を変化させるために意図的に中央部からずらすようにしても構わない。
【００４２】
また、抵抗体部材４の他端４ｂは導波管Ｇ１の内壁に接触しないようにするほうがよい。その理由は、抵抗体部材４の他端４ｂが導波管Ｇ１の内壁と接触すると、その部分で別のモードであるＴＥ２０モードが発生してしまうからである。また、抵抗体部材４の一端４ａから他端４ｂまでの幅は、導波管Ｇ１の入力側から出力側に向かって除々に大きくなるのがよい。このようになっていれば、誘電体線路３側から導波管Ｇ１側に電磁界モードが滑らかに変化するため、結合効率が良好となり、誘電体線路３および導波管Ｇ１を透過する高周波信号の透過特性を良好にすることができる。また、抵抗体部材４の主面の面積の大きさにより抵抗体部材４が電磁波に与える損失の大きさが変わるため、それにより減衰量を調整するようにしてもよい。
【００４３】
また、抵抗体部材４の材質としては、前述の導波管Ｇ１の材質と同様の抵抗体を使用することができる。それらの中から設定すべき減衰器の減衰量に応じて適切な抵抗率のものを選定すればよい。また、抵抗体の他にも電波吸収体であるパーマロイまたはセンダストを用いてもよい。これらの材質を用いれば、効率良く高周波信号を減衰させることができる。また、これら以外の材質で、高周波信号を減衰させることができるものを用いても構わない。また、抵抗体部材４を配置する導波管Ｇ１の管内は、空洞であってもセラミックス等の誘電体が挿入されたものであってもよい。導波管Ｇ１の管内に誘電体が挿入される場合には、その誘電体の内部に抵抗体部材４を設ければよい。
【００４４】
以上のような抵抗体部材４により導波管Ｇ１は、損失があり高周波信号を減衰させる高周波用伝送線路として動作して、平板導体１の外側で高周波信号を減衰させる働きをする。
【００４５】
また、図２に示す導波管Ｇ１を用いた本発明の減衰器の実施の形態の一例によれば、上記構成とすることから、シート状の抵抗体部材４が高周波信号の伝送方向に対してその高周波信号の伝送モードが急激に変化しないように働くため、導波管Ｇ１を接続した貫通孔１ａで高周波信号が誘電体線路３側に反射することを抑制するので、導波管Ｇ１の接続部で高周波信号の反射を小さくすることができるといった作用効果も有している。
【００４６】
次に、本発明の減衰器の実施の形態の他の例は、図２に示す導波管Ｇ１の替わりに図３に斜視図で示すような導波管Ｇ２を用いる構成である。図３に示す導波管Ｇ２は、図２に示す導波管Ｇ１に対して、シート状の抵抗体部材５を導波管Ｇ２の１つの内壁に設けた貫通孔６の外側から挿入する構成である。なお、シート状の抵抗体部材５は抵抗体部材４と同様のものとすればよいが、導波管Ｇ２に設けた貫通孔６から外側に位置する引き出し部を設けるとよい。
【００４７】
このような本発明の減衰器の実施の形態の他の例によれば、シート状の抵抗体部材５を導波管Ｇ２の内壁に設けた貫通孔６から挿入する挿入量により導波管Ｇ２を透過する高周波信号の透過係数を変化させることができるため、導波管Ｇ２が既に平板導体１に接続された状態であるか、または導波管Ｇ２と平板導体１とが初めから一体化されたものであっても、減衰器が組み込まれる高周波送受信器等のモジュールの筐体の外側で減衰量の調整や動的なチューニングを行なうことができ、しかも減衰量を小さくするときには透過損失を小さくすることができるものとなる。
【００４８】
次に、本発明の減衰器は、さらに具体的には次のように構成すればよい。
【００４９】
本発明の減衰器において、一方の平板導体１に設ける貫通孔１ａおよび同様に他方の平板導体２に設ける貫通孔は、それぞれ複数個設けても構わない。この場合には、これら複数個の貫通孔１ａの開口の条件（形状および平板導体１，２の表裏における開口の大きさ）を個々に設定すればよく、それにより、それぞれの貫通孔１ａを透過する高周波信号の透過損失をいずれも小さくすることができるものとなる。
【００５０】
また、誘電体線路３の材質には、四フッ化エチレン，ポリスチレン等の樹脂、または低比誘電率のコーディエライト（２ＭｇＯ・２Ａｌ２Ｏ３・５ＳｉＯ２）セラミックス，アルミナ（Ａｌ２Ｏ３）セラミックス，ガラスセラミックス等のセラミックスが好ましく、これらはミリ波帯域の高周波信号において低損失である。
【００５１】
また、誘電体線路３の断面形状は基本的には矩形状であるが、矩形の角部を丸めた形状であってもよく、高周波信号の伝送に使用される種々の断面形状のものを使用することができる。
【００５２】
また、平板導体１，２の材質には、高い電気伝導度および良好な加工性等の点で、Ｃｕ，Ａｌ，Ｆｅ，Ａｇ，Ａｕ，Ｐｔ，ＳＵＳ（ステンレススチール），真鍮（Ｃｕ−Ｚｎ合金）等の導体板が好適である。あるいは、セラミックス，樹脂等から成る絶縁板の表面にこれらの導体層を形成したものでもよい。
【００５３】
次に、本発明の第１の高周波送受信器の実施の形態の一例は、図４にブロック回路図で示すように、高周波信号を発生する高周波発振器11と、この高周波発振器11に接続された、高周波信号を分岐して一方の出力端12ｂと他方の出力端12ｃとに出力する分岐器12と、一方の出力端12ｂに接続された、この一方の出力端12ｂに分岐された高周波信号を変調して送信用高周波信号として出力する変調器13と、磁性体の周囲に第１の端子14ａ，第２の端子14ｂおよび第３の端子14ｃを有し、この順に一つの端子から入力された高周波信号を隣接する次の端子より出力する、変調器13の出力が第１の端子14ａに入力されるサーキュレータ14と、このサーキュレータ14の第２の端子14ｂに接続された送受信アンテナ15と、分岐器12の他方の出力端12ｃとサーキュレータ14の第３の端子14ｃとの間に２つの入力端16ａ，16ｂのそれぞれが接続された、他方の出力端12ｃに分岐された高周波信号と送受信アンテナ15で受信した高周波信号とを混合して中間周波信号を出力するミキサー16とを備えており、高周波発振器11および分岐器12またはサーキュレータ14および送受信アンテナ15は、上記各構成の本発明のいずれかの減衰器（この例では図１，図２に示す減衰器）で接続されている構成である。
【００５４】
また、図４に示す本発明の第１の高周波送受信器は、上記各構成要素間を接続するための高周波用伝送線路として非放射性誘電体線路を用いている。
【００５５】
すなわち、図４に示す本発明の第１の高周波送受信器は、具体的には、図５に平面図で示すように、高周波信号の波長の２分の１以下の間隔で平行に配置された平板導体21（他方の平板導体は図示していない。）間に、第１の誘電体線路22の一端側の平板導体21に設けられた貫通孔21ａに一端が接続された導波管の他端に接続された、高周波ダイオードから出力された高周波信号を周波数変調するとともに高周波信号として第１の誘電体線路22を伝搬させて出力する高周波発振器11と、第１の誘電体線路22の他端に接続された、その高周波信号をパルス信号に応じて入力端13ａ側に反射するかまたは出力端13ｂ側に透過させる変調器13と、変調器13の出力端13ｂに一端が接続された第２の誘電体線路23と、平板導体21に平行に配設されたフェライト板24の周縁部に、それぞれ高周波信号の入出力端子とされた第１の端子24ａ，第２の端子24ｂおよび第３の端子24ｃを有し、この順に、一つの端子から入力された高周波信号を隣接する次の端子より出力する、第１の端子24ａが第２の誘電体線路23の他端に接続されたサーキュレータ14と、サーキュレータ14のフェライト板24の周縁部に放射状に配置され、かつ第２の端子24ｂおよび第３の端子24ｃにそれぞれの一端が接続された第３の誘電体線路25および第４の誘電体線路26と、第３の誘電体線路25の他端側の平板導体（図示していない上側の平板導体の破線で示す位置）に設けられた貫通孔21ａに一端が接続された導波管の他端に接続された送受信アンテナ（図示せず）と、中途を第１の誘電体線路22の中途に近接もしくは接合させた、第１の誘電体線路22を伝搬する高周波信号の一部を分岐して伝搬させる第５の誘電体線路27と、第５の誘電体線路27の高周波発振器11側の一端に接続された無反射終端器28と、第４の誘電体線路26の他端と第５の誘電体線路27の他端との間に接続された、第５の誘電体線路27から入力される高周波信号と送受信アンテナ15で受信してサーキュレータ14から入力される高周波信号とを混合して中間周波信号を出力するミキサー16とを備えている構成である。なお、上記貫通孔21ａは、平板導体21および図示されていない上側の平板導体において、それぞれ第１の誘電体線路22の一端側および第３の誘電体線路25の他端側のＬＳＭモードの定在波の電界が強い箇所に設けられている。
【００５６】
なお、第１の誘電体線路22および第５の誘電体線路27は、それらの近接部もしくは接合部において分岐器12を構成している。
【００５７】
なお、図５において、第１の端子24ａ，第２の端子24ｂ，第３の端子24ｃは、それぞれ図４における第１の端子14ａ，第２の端子14ｂ，第３の端子14ｃに対応している。
【００５８】
この構成において、変調器13は、図６（ａ）に斜視図で示すように、基板40の表面に形成されたチョーク型バイアス供給線路41の途中の途切れた部位に形成された接続端子42に高周波変調用素子としてのダイオード43を接続した高周波変調部を、第１の誘電体線路22と第２の誘電体線路23との間に、第１の誘電体線路22から出力される高周波信号がダイオード43に入射するように挿入している。この構成において、高周波変調用素子としてのダイオード43には、ＰＩＮダイオードを用いればよい。また、ダイオード43の代わりにトランジスタやマイクロ波モノリシック集積回路（ＭＭＩＣ）を用いても構わない。
【００５９】
本発明の高周波送受信器における変調器13には、このような透過形の変調器が好適である。また、透過型の変調器の代わりに、高周波信号を透過させたり反射したりすることができる半導体スイッチやＭＥＭＳ（Micro Electro Mechanical System：微小電気機械システム）スイッチ等のスイッチを用いてもよい。
【００６０】
また、ミキサー16は、図６（ｂ）に斜視図で示すように、基板44の表面に形成されたチョーク型バイアス供給線路41の途中の途切れた部位に形成された接続端子42に高周波検波用素子としてのダイオード45を接続した高周波検波部を、第４の誘電体線路26の他端および第５の誘電体線路27の他端のそれぞれに、第４の誘電体線路26および第５の誘電体線路27のそれぞれから出力される高周波信号がダイオード45に入射するように配置している。この構成において、高周波検波用素子としてのダイオード45には、ショットキーバリアダイオードを用いればよい。
【００６１】
以上のように構成された図４および図５に示す本発明の第１の高周波送受信器は、従来の高周波送受信器と同様に動作する。ただし、その際、本発明の減衰器が高周波送受信器の一部として組み込まれた後に、その減衰器の入出力間を透過する高周波信号の透過係数を変化させることにより、減衰器の入出力間で高周波信号の強度を調整することができ、また、減衰器の入出力間で高周波信号を大きく減衰させるべきときには大きく減衰させ、ほとんど減衰させないでおくべきときには非常に小さい透過損失で透過させるため、高周波送受信器の内部で使用される高周波信号の強度や高周波送受信器から外部に出力される送信用高周波信号の強度が適切なものとなるように調整することができるので、安定した送受信性能を有する高性能な高周波送受信器となる。また、高周波発振器や送受信アンテナを減衰器を介して平板導体上に設けることができるので、小型化や実装性向上を実現する上で有利な高周波送受信器となる。
【００６２】
次に、本発明の第２の高周波送受信器の実施の形態の一例は、図７にブロック回路図で示すように、高周波信号を発生する高周波発振器11と、この高周波発振器11に接続された、高周波信号を分岐して一方の出力端12ｂと他方の出力端12ｃとに出力する分岐器12と、一方の出力端12ｂに接続された、この一方の出力端12ｂに分岐された高周波信号を変調して送信用高周波信号を出力する変調器13と、この変調器13の出力端13ｂに一端18ａが接続された、一端18ａ側から他端18ｂ側へ送信用高周波信号を透過させるアイソレータ18と、このアイソレータ18に接続された送信アンテナ19と、分岐器12の他方の出力端12ｃ側に接続された受信アンテナ20と、分岐器12の他方の出力端12ｃと受信アンテナ20との間に２つの入力端16ａ，16ｂのそれぞれが接続された、他方の出力端12ｃに分岐された高周波信号と受信アンテナ20で受信した高周波信号とを混合して中間周波信号を出力するミキサー16とを備えており、高周波発振器11および分岐器12、アイソレータ18および送信アンテナ19またはミキサー16および受信アンテナ20は、上記各構成の本発明のいずれかの減衰器（この例では図１，図２に示す減衰器）で接続されている構成である。
【００６３】
また、図７に示す本発明の第２の高周波送受信器は、上記各構成要素間を接続するための高周波用伝送線路として非放射性誘電体線路を用いている。
【００６４】
すなわち、図７に示す本発明の第２の高周波送受信器は、具体的には、図８に平面図で示すように、高周波信号の波長の２分の１以下の間隔で平行に配置された平板導体31（他方の平板導体は図示していない。）間に、第１の誘電体線路32の一端側の平板導体31に設けられた貫通孔31ａに一端が接続された導波管の他端に接続された、高周波ダイオードから出力された高周波信号を周波数変調するとともに第１の誘電体線路32を伝搬させて出力する高周波発振器11と、第１の誘電体線路32の他端に接続された、その高周波信号をパルス信号に応じて入力端13ａ側に反射するかまたは出力端13ｂ側に透過させる変調器13と、変調器13の出力端13ｂに一端が接続された第２の誘電体線路33と、平板導体31に平行に配設されたフェライト板34の周縁部に、それぞれ高周波信号の入出力端子とされた第１の端子34ａ，第２の端子34ｂおよび第３の端子34ｃを有し、この順に、一つの端子から入力された高周波信号を隣接する次の端子より出力する、第１の端子34ａが第２の誘電体線路33の他端に接続されたサーキュレータ14と、サーキュレータ14のフェライト板34の周縁部に放射状に配置され、かつ第２の端子34ｂおよび第３の端子34ｃにそれぞれの一端が接続された第３の誘電体線路35および第４の誘電体線路36と、第３の誘電体線路35の他端側の平板導体（図示していない上側の平板導体の破線で示す位置）に設けられた貫通孔31ａに一端が接続された導波管の他端に接続された送信アンテナ19と、中途を第１の誘電体線路32の中途に近接もしくは接合させた、第１の誘電体線路32を伝搬する高周波信号の一部を分岐して伝搬させる第５の誘電体線路37と、第４の誘電体線路36の他端に接続された無反射終端器38ａと、第５の誘電体線路37の高周波発振器11側の一端に接続された無反射終端器38ｂと、一端が平板導体（図示していない上側の平板導体の破線で示す位置）に設けられた貫通孔に配置された第６の誘電体線路39と、第６の誘電体線路39側の貫通孔に一端が接続された導波管の他端に接続された受信アンテナ20と、第５の誘電体線路37の他端と第６の誘電体線路39の他端との間に接続された、第５の誘電体線路37から入力される高周波信号と受信アンテナ20で受信して第６の誘電体線路39から入力される高周波信号とを混合して中間周波信号を出力する上記各構成の本発明の実施の形態の例のいずれかのミキサー16とを備えている構成である。なお、第１の誘電体線路32および第５の誘電体線路37は、それらの近接部もしくは接合部において分岐器12を構成している。なお、上記貫通孔31ａは、平板導体31の第１の誘電体線路32の一端側のＬＳＭモードの定在波の電界が強い箇所に設けられており、図示されていない上側の平板導体の第３の誘電体線路35の他端側および第６の誘電体線路39の一端側のそれぞれＬＳＭモードの定在波の電界が強い箇所に設けられている。
【００６５】
以上のように構成された本発明の第２の高周波送受信器は、従来の高周波送受信器と同様に動作する。ただし、その際、本発明の減衰器が高周波送受信器の一部として組み込まれた後に、その減衰器の入出力間を透過する高周波信号の透過係数を変化させることにより、減衰器の入出力間で高周波信号の強度を調整することができ、また、減衰器の入出力間で高周波信号を大きく減衰させるべきときには大きく減衰させ、ほとんど減衰させないでおくべきときには非常に小さい透過損失で透過させるため、高周波送受信器の内部で使用される高周波信号の強度や高周波送受信器から外部に出力される送信用高周波信号の強度が適切なものとなるように調整することができるので、安定した送受信性能を有する高性能な高周波送受信器となる。また、高周波発振器や送受信アンテナを減衰器を介して平板導体上に設けることができるので、小型化や実装性向上を実現する上で有利な高周波送受信器となる。
【００６６】
本発明の高周波送受信器において、第１〜第６の誘電体線路22，23，25〜27，32，33，35〜37，39の材質には、四フッ化エチレン，ポリスチレン等の樹脂、または低比誘電率のコーディエライト（２ＭｇＯ・２Ａｌ２Ｏ３・５ＳｉＯ２）セラミックス，アルミナ（Ａｌ２Ｏ３）セラミックス，ガラスセラミックス等のセラミックスが好ましく、これらはミリ波帯域の高周波信号において低損失である。
【００６７】
また、第１〜第６の誘電体線路22，23，25〜27，32，33，35〜37，39の断面形状は基本的には矩形状であるが、矩形の角部を丸めた形状であってもよく、高周波信号の伝送に使用される種々の断面形状のものを使用することができる。
【００６８】
また、フェライト板24，34の材質には、フェライトの中でも、例えば高周波信号に対しては、亜鉛・ニッケル・鉄酸化物（ＺｎａＮｉｂＦｅｃＯｘ）が好適である。
【００６９】
また、フェライト板24，34の形状は、通常は円板状とされるが、その他、平面形状が正多角形状であってもよい。その場合は、接続される誘電体線路の本数をｎ本（ｎは３以上の整数）とすると、その平面形状は正ｍ角形（ｍは３以上のｎより大きい整数）とするのがよい。
【００７０】
また、平板導体21，31および図示していない他方の平板導体の材質には、高い電気伝導度および良好な加工性等の点で、Ｃｕ，Ａｌ，Ｆｅ，Ａｇ，Ａｕ，Ｐｔ，ＳＵＳ（ステンレススチール），真鍮（Ｃｕ−Ｚｎ合金）等の導体板が好適である。あるいは、セラミックス，樹脂等から成る絶縁板の表面にこれらの導体層を形成したものでもよい。
【００７１】
また、無反射終端器28，38ａ，38ｂは、それら無反射終端器28，38ａ，38ｂが接続される第５の誘電体線路27，第４および第５の誘電体線路36，37の端部に対して、両側の側面（平板導体21，31および図示していない他方の平板導体の内面と対向しない面）の上下端部に、膜状の抵抗体または電波吸収体を付着させて構成すればよい。その際、抵抗体の材質としては、ニッケルクロム合金またはカーボンが好適である。また、電波吸収体の材質としては、パーマロイまたはセンダストが好適である。これらの材質を用いれば、効率良くミリ波信号を減衰させることができる。また、これら以外の材質で、ミリ波信号を減衰させることができるものを用いても構わない。
【００７２】
また、基板40，44は、四フッ化エチレン，ポリスチレン，ガラスセラミックス，ガラスエポキシ樹脂，エポキシ樹脂、いわゆる液晶ポリマー等の熱可塑性樹脂等から成る板状の基体の一主面に、アルミニウム（Ａｌ），金（Ａｕ），銅（Ｃｕ）等から成るストリップ導体等によるチョーク型バイアス供給線路41，46を形成したものが使用される。
【００７３】
なお、高周波信号として使用する周波数帯域は、ミリ波帯の他にも、マイクロ波帯またはそれ以下の周波数帯にも有効である。
【００７４】
また、サーキュレータ14の代わりに、デュプレクサ，スイッチ，ハイブリッド回路等を用いても構わない。また、高周波発振器，変調器およびミキサーには、ダイオードの代わりにバイポーラトランジスタ，電界効果トランジスタ（ＦＥＴ）またはこれらを集積化した集積回路（ＣＭＯＳ，ＭＭＩＣ等）を用いても構わない。
【００７５】
次に、本発明のレーダ装置ならびにそれを搭載したレーダ装置搭載車両およびレーダ装置搭載小型船舶について説明する。
【００７６】
本発明のレーダ装置の実施の形態の一例は、上記各構成の本発明の第１および第２のいずれかの高周波送受信器と、この高周波送受信器から出力される中間周波信号を処理して探知対象物までの距離情報を検出する距離情報検出器とを具備している構成である。
【００７７】
本発明のレーダ装置によれば、上記構成としたことから、本発明の高周波送受信器が良好な送受信性能を安定して得られる高性能なものであり、また、送信出力や送信周波数が安定した良好な送信用高周波信号を送信するため、速く確実に探知対象物を探知することができるとともに至近距離や遠方の探知対象物をも確実に探知することができるレーダ装置を提供することができる。
【００７８】
本発明のレーダ装置搭載車両は、上記本発明のレーダ装置を備え、このレーダ装置を探知対象物の検出に用いる構成である。
【００７９】
本発明のレーダ装置搭載車両によれば、このような構成としたことから、従来のレーダ装置搭載車両と同様に、レーダ装置で検出された距離情報に基づいて車両の挙動を制御したり、運転者に例えば路上の障害物や他の車両等を探知したことを音，光もしくは振動で警告したりすることができるが、本発明のレーダ装置搭載車両においては、探知対象物である路上の障害物や他の車両等をレーダ装置が早く確実に探知するため、急激な挙動を車両に起こさせることなく、車両の適切な制御や運転者への適切な警告をすることができる。
【００８０】
なお、本発明のレーダ装置搭載車両は、具体的には、汽車，電車，自動車等旅客や貨物を輸送するための車はもちろんのこと、自転車，原動機付き自転車，遊園地の乗り物，ゴルフ場のカート等にも用いることができる。
【００８１】
また、本発明のレーダ装置搭載小型船舶は、上記本発明のレーダ装置を備え、このレーダ装置を探知対象物の検出に用いる構成である。
【００８２】
本発明のレーダ装置搭載小型船舶によれば、このような構成としたことから、従来のレーダ装置搭載車両と同様に、小型船舶において、レーダ装置で検出された距離情報に基づいて小型船舶の挙動を制御したり、操縦者に例えば暗礁等の障害物，他の船舶もしくは他の小型船舶等を探知したことを音，光もしくは振動で警告したりするように動作するが、本発明のレーダ装置搭載小型船舶においては、探知対象物である暗礁等の障害物，他の船舶もしくは他の小型船舶等をレーダ装置が早く確実に探知するため、急激な挙動を小型船舶に起こさせることなく、小型船舶の適切な制御や操縦者への適切な警告をすることができる。
【００８３】
なお、本発明のレーダ装置搭載小型船舶は、具体的には、小型船舶の免許もしくは免許なしで操縦することができる船舶であって、総トン数20トン未満の船舶である手漕ぎボート，ディンギー，水上オートバイ，船外機搭載の小型バスボート，船外機搭載のインフレータブルボート（ゴムボート），漁船，遊漁船，作業船，屋形船，トーイングボート，スポーツボート，フィッシングボート，ヨット，外洋ヨット，クルーザーまたは総トン数20トン以上のプレジャーボートに用いることができる。
【００８４】
かくして、本発明によれば、減衰器が組み込まれる高周波送受信器等のモジュールにおいて、実用的であって簡単に、そのモジュールの筐体の外側で減衰量の調整や動的なチューニングを行なうことができ、しかも減衰量を小さくするときには透過損失を小さくすることができる減衰器およびそれを用いた高性能な高周波送受信器を提供することができる。
【００８５】
また、本発明によれば、そのような高性能な高周波送受信器を具備するレーダ装置ならびにそのレーダ装置を備えたレーダ装置搭載車両およびレーダ装置搭載小型船舶を提供することができる。
【００８６】
なお、本発明は以上の実施の形態の例および実施例に限定されるものではなく、本発明の要旨を逸脱しない範囲内で種々の変更を行なうことは何等差し支えない。例えば、導波管Ｇ２は、貫通孔６を導波管Ｇ２に沿って同じ面に平行に複数個設け、それら複数個の貫通孔６の１つに抵抗体部材４を挿入し、他の貫通孔６をアルミテープ等の導体部材で塞ぐものとしてもよい。この場合には、抵抗体部材４を挿入する位置によって導波管Ｇ２内の電磁界の強さが異なるから、抵抗体部材４が導波管Ｇ２を伝搬する高周波信号に及ぼす影響（損失）を、貫通孔６に抵抗体部材４を挿入する位置によって大きく変えることができるとともに抵抗体部材４を挿入する深さによって細かく変えることができるので、減衰量の調整範囲を広くすることができ、しかもその調整を緻密にすることができるものとなる。
【図面の簡単な説明】
【００８７】
【図１】本発明の減衰器の実施の形態の一例を示す模式図であり、（ａ）は断面図、（ｂ）はそのＡ−Ａ’線断面図である。
【図２】本発明の減衰器の実施の形態の一例における導波管Ｇ１を示す模式的な斜視図である。
【図３】本発明の減衰器の実施の形態の他の例における導波管Ｇ２を示す模式的な断面図である。
【図４】本発明の第１の高周波送受信器の実施の形態の一例を示す模式的なブロック回路図である。
【図５】図４に示す高周波送受信器の模式的な平面図である。
【図６】（ａ）および（ｂ）は、それぞれ非放射性誘電体線路型の変調器およびミキサーに用いられるダイオードが実装された基板の一例を模式的に示す斜視図である。
【図７】本発明の第２の高周波送受信器の実施の形態の一例を示す模式的なブロック回路図である。
【図８】図７に示す高周波送受信器の模式的な平面図である。
【図９】非放射性誘電体線路の基本的構成を模式的に示す部分破断斜視図である。
【符号の説明】
【００８８】
１：一方の平板導体
１ａ：一方の平板導体１に設けられた貫通孔
２：他方の平板導体
３：誘電体線路
３ａ：誘電体線路３の貫通孔１ａ側の一端である開放端
４：抵抗体部材
５：抵抗体部材
６：貫通孔
11：高周波発振器
12：分岐器
12ａ：入力端
12ｂ：一方の出力端
12ｃ：他方の出力端
13：変調器
13ａ：入力端
13ｂ：出力端
14：サーキュレータ
14ａ：第１の端子
14ｂ：第２の端子
14ｃ：第３の端子
15：送受信アンテナ
16：ミキサー
17：スイッチ
18：アイソレータ
18ａ：入力端
18ｂ：出力端
19：送信アンテナ
20：受信アンテナ
21，31：平板導体
22，32：第１の誘電体線路
23，33：第２の誘電体線路
24，34：フェライト板
24ａ，34ａ：第１の端子
24ｂ，34ｂ：第２の端子
24ｃ，34ｃ：第３の端子
25，35：第３の誘電体線路
26，36：第４の誘電体線路
27，37：第５の誘電体線路
28，38ａ，38ｂ：無反射終端器
39：第６の誘電体線路
40，44：基板
41：チョーク型バイアス供給線路
42：端子
43：高周波変調用素子
45：高周波検波用素子
Ｇ１，Ｇ２：導波管
【図１】
2006128929.tif 000003
【図２】
2006128929.tif 000004
【図３】
2006128929.tif 000005
【図４】
2006128929.tif 000006
【図５】
2006128929.tif 000007
【図６】
2006128929.tif 000008
【図７】
2006128929.tif 000009
【図８】
2006128929.tif 000010
【図９】
2006128929.tif 000011